【手続補正書】
【提出日】令和3年6月30日(2021.6.30)
【手続補正１】
【補正対象書類名】特許請求の範囲
【補正対象項目名】全文
【補正方法】変更
【補正の内容】
【特許請求の範囲】
【請求項１】
セキュリティ装置において、
前記セキュリティ装置のそれぞれ横方向にオフセットされた第１および第２の領域にそれぞれ配置された第１のインクおよび第２のインクであって、前記第１および第２のインクが、それぞれ、双方とも紫外線スペクトルにおける少なくとも１つの励起波長での照射に応答して発光する各発光材料を含み、前記第１および第２のインクが、それぞれ、前記少なくとも１つの励起波長の非存在下で可視光によって照明されたときに互いに略同じ非発光可視色を示し、前記第１および第２のインクが、それぞれ、可視光と前記少なくとも１つの励起波長との組み合わせによって照明されたときに前記非発光可視色とは互いに異なる可視色を示す、第１のインクおよび第２のインクと、
前記装置の前記第１および第２の領域から横方向にオフセットされた前記装置の第３の領域に配置された第３のインクであって、前記第３のインクが前記少なくとも１つの励起波長に応答して発光せず、前記第３のインクが、前記少なくとも１つの励起波長の非存在下で可視光によって照明されたときに前記第１および第２のインクと略同じ非発光可視色を示す、第３のインクと、
前記第１の領域における前記第１のインクおよび／または前記第２の領域における前記第２のインクの１つ以上の部分と部分的に重複するマスキングパターンに配置された第４のインクであって、前記第４のインクが前記少なくとも１つの励起波長に応答して発光せず、前記第４のインクが、前記少なくとも１つの励起波長の非存在下で可視光によって照明されたときに前記第１、前記第２および前記第３のインクの非発光可視色とは異なる可視色を示す、第４のインクとを含み、
前記セキュリティ装置が前記少なくとも１つの励起波長の非存在下で可視光によって照明されたときに、前記第１、前記第２および前記第３の領域が、前記非発光可視色の１つの連続パターンとしてともに表示され、前記第４のインクが、前記連続パターンを形成する１つのインクよりも多くの存在を隠し、前記セキュリティ装置が可視光と前記少なくとも１つの励起波長との組み合わせによって照明されたときに、前記第１および第２の領域が、互いに且つ前記連続パターンの残りの部分から視覚的に区別される、セキュリティ装置。
【請求項２】
前記マスキングパターンが、前記第３の領域内の前記第３のインクの１つ以上の部分にさらに部分的に重複する、請求項１に記載のセキュリティ装置。
【請求項３】
前記マスキングパターンが、前記第１、第２および／または第３の領域の周辺を少なくとも部分的に隠す要素、好ましくは前記周辺と交差する要素を含む、請求項１または請求項２に記載のセキュリティ装置。
【請求項４】
前記マスキングパターンが、視覚的混乱を引き起こし、それにより、前記第１、第２および第３の領域の配置を不明瞭にするように構成される、請求項１〜３のいずれか一項に記載のセキュリティ装置。
【請求項５】
前記第１、第２および／または第３の領域が、互いに離隔された複数のサブ領域を含む、請求項１〜４のいずれか一項に記載のセキュリティ装置。
【請求項６】
少なくとも前記連続パターンの領域において、前記第１および第２の領域が、インクを含まないかまたは前記第１および第２のインクの非発光色と対比する色の１つ以上のギャップによって、互いに、好ましくは前記第３の領域から離隔され、これにより、前記セキュリティ装置が前記少なくとも１つの励起波長の非存在下で可視光によって照明されたときに前記領域の周辺の少なくとも一部が前記連続パターンで見える、請求項１〜５のいずれか一項に記載のセキュリティ装置。
【請求項７】
前記および第２の領域が、前記連続パターンの少なくとも１つの位置において、１ｍｍ未満、好ましくは０．５ｍｍ未満だけ互いに離隔されている、請求項６に記載のセキュリティ装置。
【請求項８】
少なくとも前記連続パターンの領域において、前記第１および第２の領域が互いに当接し、好ましくは前記第３の領域に当接する、請求項１〜７のいずれか一項に記載のセキュリティ装置。
【請求項９】
少なくとも前記連続パターンの領域において、前記第１および第２の領域が互いに部分的に重複し、好ましくは前記第３の領域に部分的に重複する、請求項１〜８のいずれか一項に記載のセキュリティ装置。
【請求項１０】
前記第１および／または第２の領域が、個別にまたは組み合わせて、１つ以上の印、好ましくは１つ以上の英数字、記号、通貨識別子、ロゴまたはマイクロテキストを定義する、請求項１〜９のいずれか一項に記載のセキュリティ装置。
【請求項１１】
前記第１、第２および第３の領域によって形成される前記連続パターンが、規則的または周期的パターン、好ましくは前記セキュリティ装置を横断的にわたって配列されたパターン要素の規則的なグリッドを含み、前記パターン要素の異なるサブセットが、前記第１、第２および第３のインクのそれぞれから形成される、請求項１〜１０のいずれか一項に記載のセキュリティ装置。
【請求項１２】
前記規則的または周期的パターンが、前記セキュリティ装置を横切って空間的に変調され、前記セキュリティ装置が前記少なくとも１つの励起波長の非存在下で可視光によって照明されたときに異なる視覚コントラストの領域を提供し、前記規則的または周期的パターンが、好ましくはハーフトーン画像を示す、請求項１１に記載のセキュリティ装置。
【請求項１３】
前記第４のインクによって形成される前記マスキングパターンが、前記第１、第２および第３のインクによって形成される前記連続パターンの少なくとも一部と連動するように構成される、請求項１〜１２のいずれか一項に記載のセキュリティ装置。
【請求項１４】
前記マスキングパターンが、線パターン、ギョーシェ構造、スクリーン加工、ハーフトーン画像、ポートレートまたは他のグラフィックのいずれかを含む、請求項１〜１３のいずれか一項に記載のセキュリティ装置。
【請求項１５】
前記少なくとも１つの励起波長の非存在下で可視光によって照明されたときに前記第４のインクによって示される可視色が、前記第１、第２および第３のインクの非発光色よりも色相および／または色調が暗い、請求項１〜１４のいずれか一項に記載のセキュリティ装置。
【請求項１６】
前記第１および第２のインクが、２００から４００ｎｍ、好ましくは２３５から３８０ｎｍの範囲の少なくとも１つのＵＶ波長に反応して発光する、請求項１〜１５のいずれか一項に記載のセキュリティ装置。
【請求項１７】
前記第１および第２のインクが、２３５から３８０ｎｍの範囲の任意のＵＶ波長に反応して発光する、請求項１〜１６のいずれか一項に記載のセキュリティ装置。
【請求項１８】
前記第１、第２、第３および第４のインクが、それぞれ、互いに登録されている、請求項１〜１７のいずれか一項に記載のセキュリティ装置。
【請求項１９】
前記第１、第２、第３および第４のインクが、それぞれ、基材上、好ましくは前記基材の同じ表面上に印刷されたインクである、請求項１〜１８のいずれか一項に記載のセキュリティ装置。
【請求項２０】
前記基材が、紙、ポリマーまたは紙−ポリマー複合基材である、請求項１９に記載のセキュリティ装置。
【請求項２１】
前記第１、第２、第３および第４のインクが、それぞれ互いに登録され、それによって前記第１、第２および第３の領域と前記マスキングパターンの相対位置が前記セキュリティ装置のそれぞれにおいて略同じである、請求項１〜２０のいずれか一項に記載の複数のセキュリティ装置。
【請求項２２】
請求項１〜２０のいずれか一項に記載のセキュリティ装置を含むセキュリティ物品において、前記セキュリティ物品が、好ましくは、セキュリティスレッド、ストライプ、パッチまたは箔である、セキュリティ物品。
【請求項２３】
請求項１〜２０のいずれか一項に記載のセキュリティ装置または請求項２２に記載のセキュリティ物品を含むセキュリティ文書において、前記セキュリティ文書が、好ましくは、紙幣、身分証明書、パスポート、小切手、切手、ビザ、債券、証明書またはバウチャーである、セキュリティ文書。
【請求項２４】
セキュリティ装置を製造する方法において、
前記セキュリティ装置のそれぞれ横方向にオフセットされた第１および第２の領域にそれぞれ配置された第１のインクおよび第２のインクであって、前記第１および第２のインクが、それぞれ、双方とも紫外線スペクトルにおける少なくとも１つの励起波長での照射に応答して発光する各発光材料を含み、前記第１および第２のインクが、それぞれ、前記少なくとも１つの励起波長の非存在下で可視光によって照明されたときに互いに略同じ非発光可視色を示し、前記第１および第２のインクが、それぞれ、可視光と前記少なくとも１つの励起波長との組み合わせによって照明されたときに前記非発光可視色とは互いに異なる可視色を示す、第１のインクおよび第２のインクと、
前記装置の前記第１および第２の領域から横方向にオフセットされた前記装置の第３の領域に配置された第３のインクであって、前記第３のインクが前記少なくとも１つの励起波長に応答して発光せず、前記第３のインクが、前記少なくとも１つの励起波長の非存在下で可視光によって照明されたときに前記第１および第２のインクと略同じ非発光可視色を示す、第３のインクと、
前記第１の領域における前記第１のインクおよび／または前記第２の領域における前記第２のインクの１つ以上の部分と部分的に重複するマスキングパターンに配置された第４のインクであって、前記第４のインクが前記少なくとも１つの励起波長に応答して発光せず、前記第４のインクが、前記少なくとも１つの励起波長の非存在下で可視光によって照明されたときに前記第１、前記第２および前記第３のインクの非発光可視色とは異なる可視色を示す、第４のインクとを、基材上に塗布することを備え、
前記セキュリティ装置が前記少なくとも１つの励起波長の非存在下で可視光によって照明されたときに、前記第１、前記第２および前記第３の領域が、前記非発光可視色の１つの連続パターンとしてともに表示され、前記第４のインクが、前記連続パターンを形成する１つのインクよりも多くの存在を隠し、前記セキュリティ装置が可視光と前記少なくとも１つの励起波長との組み合わせによって照明されたときに、前記第１および第２の領域が、互いに且つ前記連続パターンの残りの部分から視覚的に区別される、方法。
【請求項２５】
前記第１、第２、第３および第４のインクが、印刷によって、好ましくは、リソグラフィ、フレキソ、オフセット、凹版またはグラビア印刷によって前記基材に塗布される、請求項２４に記載の方法。
【請求項２６】
前記第１、第２、第３、および第４のインクが、互いに見当合わせして前記基材に塗布される、請求項２４または２５に記載の方法。
【請求項２７】
前記第１、第２、第３および第４のインクが、同じインライン塗布プロセスで前記基材に塗布される、請求項２４〜２６のいずれか一項に記載の方法。